(57)【要約】  ヘリカルスキャンテープレコーダ（３０）は、回転可能なスキャナ（８４）と、スキャナの回転の間に情報が記録されるように、磁気テープを回転可能なスキャナ近くに移送する移送システムとを備える。コントローラは、テープへの記録動作中にポーズするためにポーズルーチン（１２０）を実行する。ポーズルーチンは実行される際において、テープ上のポーズ前最終記録位置を示すテープポーズ位置基準値を判断するステップと、テープ上のポーズ前最終記録位置の後に消去信号を記録するステップと、テープを巻き戻すステップと、テープを順方向に移送し、現テープ位置値を取得するステップと、現テープ位置値がいつテープポーズ位置基準値に対する所定の値に達するかを判断するステップと、スキャナの次の回転の開始時において、テープへの１つ以上のポーズ後ストライプの記録を開始するステップとを実行する。一構成例において、テープポーズ位置基準値に対する所定の値は、テープポーズ位置基準値とオフセットとの和である。【特許請求の範囲】
【請求項１】
回転可能なスキャナ（８４）と、
スキャナ（８４）の回転の間に情報が記録されるように、磁気テープ（３１）を回転可能な前記スキャナ（８４）近くに移送する移送システムと、
ポーズルーチン（１２０）を実行するコントローラ（５０）とを備えたヘリカルスキャンテープレコーダ（３０）であって、前記ポーズルーチン（１２０）は実行される際において、
前記テープ上のポーズ前最終記録位置を示すテープポーズ位置基準値を判断するステップと、
前記テープ上の前記ポーズ前最終記録位置の後に、前記ポーズ前最終記録位置の後に記録された既存の情報を無効化する信号を記録するステップと、
前記テープを巻き戻すステップと、
前記テープを順方向に移送し、現テープ位置値を取得するステップと、
前記現テープ位置値がいつ前記テープポーズ位置基準値に対する所定の値に達するかを判断するステップと、
前記スキャナ（８４）の次の回転の開始時において、前記テープへの１つ以上のポーズ後ストライプの記録を開始するステップと、
を実行することを包含する、ヘリカルスキャンテープレコーダ。
【請求項２】
前記テープポーズ位置基準値に対する前記所定の値は、前記テープポーズ位置基準値とオフセット値との和である、請求項１に記載の装置。
【請求項３】
前記オフセット値はプログラマブルである、請求項２に記載の装置。
【請求項４】
前記テープ上の前記ポーズ前最終記録位置の後に、前記ポーズ前最終記録位置の後に記録された前記既存の情報を無効化する前記信号を記録する前記ステップは、ＤＣ消去信号である、請求項１に記載の装置。
【請求項５】
スキャナ（８４）の回転の間に情報が記録されるように、磁気テープ（３１）を回転可能な前記スキャナ（８４）近くに移送する移送システムを有するヘリカルスキャンテープレコーダ（３０）を動作させる方法であって、
前記テープ上のポーズ前最終記録位置を示すテープポーズ位置基準値を判断することと、
前記テープ上の前記ポーズ前最終記録位置の後に、前記ポーズ前最終記録位置の後に記録された既存の情報を無効化する信号を記録することと、
前記テープを巻き戻すことと、
前記テープを順方向に移送し、現テープ位置値を取得することと、
前記現テープ位置値がいつ前記テープポーズ位置基準値に対する所定の値に達するかを判断することと、
前記スキャナ（８４）の次の回転の開始時において、前記テープへの１つ以上のポーズ後ストライプの記録を開始することと、
を包含する方法。
【請求項６】
前記テープポーズ位置基準値に対する前記所定の値は、前記テープポーズ位置基準値とオフセットとの和である、請求項５に記載の方法。
【請求項７】
前記オフセット値はプログラマブルである、請求項６に記載の方法。
【請求項８】
前記テープ上の前記ポーズ前最終記録位置の後に、前記ポーズ前最終記録位置の後に記録された前記既存の情報を無効化する前記信号を記録する前記ステップは、ＤＣ消去信号である、請求項５に記載の方法。
【請求項９】
スキャナ（８４）の回転の間に情報が記録されるように、磁気テープ（３１）を回転可能な前記スキャナ（８４）近くに移送する移送システムを有するヘリカルスキャンテープレコーダ（３０）を動作させる方法であって、
テープポーズ状況に遭遇することと、
ポーズ後データを前記テープに記録するよりも前に、前記テープ上の前記ポーズ前最終記録位置の後にＤＣ消去信号を記録することと、
を包含する方法。
【発明の詳細な説明】
【技術分野】
【０００１】
本発明は、磁気テープ上へのヘリカルスキャン記録に関し、より詳細には記録動作においてポーズを実行することに関する。
【背景技術】
【０００２】
磁気テープドライブを用いてテープに磁気記録する際、ヘッドユニット（典型的には書き込み素子および読み出し素子の両方を備える）とテープとの間の相対的な移動が、複数のトラック情報をテープに対して変換させる。磁気テープは典型的にはカートリッジに収納され、カートリッジがテープドライブ内にローディングされる。テープは、カートリッジ送りリールとカートリッジ巻き取りリールとの間に延びている。テープドライブは典型的には、カートリッジ送りリールを回転させる送りリールモータと、カートリッジ巻き取りリールを回転させる巻き取りリールモータとを有する。
【０００３】
カートリッジがテープドライブにローディングされた後、テープはドライブ内の機構によって引き出され、テープの一部が、カートリッジから、ヘッドユニット近くを走るテープ経路へと引き出される。引き出し機構は、トロリーに設けられたテープガイドの形態を有する。引き出し動作において、予め決められたトロリー経路に沿ってトロリーモータがトロリーを動かすことにより、トロリーがトロリー経路に沿って走行するにつれ、トロリー上に設けられたテープガイドがテープをテープ経路内へと変位させる。トロリーがトロリー経路に沿う走行の全行程に達したとき、テープはヘッドユニット近くにある。その後、例えばキャプスタンの作動により、テープはヘッドユニットを越えて移送され得る。
【０００４】
ヘリカルスキャン構成においては、磁気テープが移送されるとき磁気テープが回転するドラムに少なくとも部分的に巻き回されることにより、ドラムが回転された際、ドラム上に位置するヘッド（書き込みヘッドおよび読み出しヘッドの両方）はドラムに対して接触する。ドラム上の１つ以上の書き込みヘッドが、データを、テープ走行方向に対して１つ以上の角度に向けられた一連の別々のストライプまたはトラックとして、テープに物理的に記録する。１つ以上の読み出しヘッドによる読み出しによる後の回復を可能にするために十分な参照情報を提供するために、テープへの記録に先だってデータはフォーマッティングされる。
【０００５】
ヘリカルスキャン装置の例（例えばヘリカルスキャンテープドライブ）が、以下の米国特許および米国特許公開公報の非限定的かつ例示的なリストに記載されている。米国特許第５，０６５，２６１号、米国特許第５，０６８，７５７号、米国特許第５，１４２，４２２号、米国特許第５，１９１，４９１号、米国特許第５，５３５，０６８号、米国特許第５，６０２，６９４号、米国特許第５，６８０，２６９号、米国特許第５，６８９，３８２号、米国特許第５，７２６，８２６号、米国特許第５，７３１，９２１号、米国特許第５，７３４，５１８号、米国特許第５，９５３，１７７号、米国特許第５，９７３，８７５号、米国特許第５，９７８，１６５号、米国特許第６，１４４，５１８号、米国特許第６，１８９，８２４号、米国特許第６，２８８，８６４号、米国特許第６，６９７，２０９号、米国特許第６，３６７，０４７号、米国特許第６，３６７，０４８号、米国特許第６，６０３，６１８号、米国特許第６，３８１，７０６号、米国特許第６，４２１，８０５号、米国特許第６，３０８，２９８号、米国特許第６，３０７，７０１号、米国特許第６，２４６，５５１号、米国特許出願公開第２００２／００７１１９５号、米国特許出願公開第２００３／００４８５６３号、米国特許出願公開第２００３／０１２８４５９号、米国特許出願公開第２００３／０２３４９９８号。  上記のすべてについて、その全体を本願において参考のため援用し、米国特許出願公開に対応する米国特許出願もまた本願において援用する。
【０００６】
従来技術のヘリカルスキャンテープドライブは、回転するドラム上に設けられた複数のヘッドを有し得る。いくつかの実施形態において、複数の書き込みヘッドおよび複数の読み出しヘッドがドラムの円柱状側壁上に、しばしば対として設けられている。例えば、ドラムの一方側に一対の書き込みヘッドが互いに比較的近く位置し、またこれらの書き込みヘッドから約１８０度の角度に、一対の読み出しヘッドが互いに近く設けられている。典型的には、ドラム回転の第１の半分上にある第１の書き込みヘッドによって記録されたストライプは、同じドラム回転の第２の半分上にある第１の読み出しヘッドによって読み返され、同様に、同じドラム回転の第１の半分上にある第２の書き込みヘッドによって記録されたストライプは、同じドラム回転の第２の半分上にある第２の読み出しヘッドによって読み返される。
【０００７】
多くのテープドライブは、テープ走行方向に対して異なるアジマス角を有する経路を様々な変換素子の組が横断する、複数アジマスシステムである。例えば、第１の書き込みヘッドおよび第１の読み出しヘッドが、第１のアジマス角を有するストライプを横断するように構成され、第２の書き込みヘッドおよび第２の読み出しヘッドが第２のアジマス角を有するストライプを横断するように構成され、と言った具合である。ストライプまたはトラックは典型的には、交互アジマスで並べられ、異なるアジマス角のストライプは通常、異なるアジマス角を有する隣接するストライプと、わずかに重なるエッジ部分を有する。
【０００８】
磁気テープ記録において「ポーズ」の語は、スキャナまたはドラム上のテープの順方向移動を停止させることを意味する。テープをポーズする目的は、２つの理由のうちのいずれかであり得る。第１の理由は、ホストデータ転送レートによりよく合致しようとするためである。すなわち、ホストから得られるデータがこれ以上ないとき、ドライブはポーズする。逆に、さらなるデータが得られるとき、ドライブは記録を再開する。テープをポーズする第２の理由は、バックヒッチ動作を行うことによりテープの再位置決めを行う必要を回避することである。バックヒッチとは、ドライブがテープ移動を停止し、反転して停止地点よりもだいぶ前の地点まで戻り（例えば割と長いリバース移動）、再び停止し、そのあと前進してドライブがテープへの書き込みを停止した地点でスプライシングを行うことである。バックヒッチ動作を避けることにより、機構およびテープの摩耗が減少する。
【０００９】
従来技術のヘリカルスキャンドライブの中には、ポーズイベントの後に記録の開始がテープ上のどこで起こるかを正確に制御できないものがある。ポーズ前に書き込まれたユーザデータを上書きしてしまわないことが重要である。これを防ぐために、これらのドライブの中には、ポーズ点のどちらか側に追加的なダミートラックを用いることによって、ポーズ前のデータの破壊を防ぐものがある。これらのダミートラックは、ポーズ前データがポーズ後データと混ざることを防ぐための、物理的バッファゾーンをテープ上に提供する。これらのダミートラックは、テープを読み出す際には無視される。
【発明の開示】
【発明が解決しようとする課題】
【００１０】
大部分のヘリカルスキャン記録システムは、上述の交互アジマス記録技術を用いる。交互アジマス記録は、多数のトラックを、トラック間にデッドゾーンや物理的セパレーションが存在することなく記録することを可能にする。交互アジマス記録されたデータトラックが正しく読み出されるためには、２つの同アジマスのトラックが、連続的、すなわち同アジマスの読み出しヘッドによって同時に横断されるように記録されてはならない。もしこれが起きると、２つのトラックが区別不能になり、どちらのトラックも通常の転送速度では読み出し不能と言う問題状況となる。
【００１１】
不都合なことに、図５に示すように、ポーズイベントはまさにそのような問題状況を作りだしてしまう。ドライブが惰走のあと停止に至るとき、および記録がオフにされるとき、そしてその後にドライブが順方向に動き記録が再び開始されるとき、記録セッションにギャップが生まれ得る。このギャップは、以前に記録されたトラックを含み得る。もしギャップ中における新しい記録トラックに最も近いポーズ前トラックが、新しく記録されたトラックと同じアジマスのヘッドによって記録されたならば、新しく記録されたトラックは読み出し可能でなくなる。いくつかのテープドライブにおいては、上述のようにダミートラックを書き込むことによってこの問題を克服している。これらのダミートラックはユーザデータを含んでいないため、これらを読み出せなくても問題とはならない。
【００１２】
しかし、ダミートラックアプローチの欠点は容量の浪費である。容量の浪費は、記憶装置においては大罪である。実際、いくつかのテープドライブにおいては、各ポーズイベントによって典型的には４つから６つのトラックが消費される。デバイスの本来の密度とポーズイベントの数によっては、この容量の損失は、１つのテープカートリッジ容量のうちの相当なパーセンテージに上り得る。
【００１３】
したがって必要とされるのは、本発明の目的でもあるが、磁気テープの記録中における、テープ容量の損失が非常に少ないポーズ技術である。
【課題を解決するための手段】
【００１４】
ヘリカルスキャンテープレコーダは、回転可能なスキャナと、スキャナの回転の間に情報が記録されるように、磁気テープを回転可能なスキャナ近くに移送する移送システムとを備える。コントローラは、テープへの記録動作中にポーズするためにポーズルーチンを実行する。ポーズルーチンは実行される際において、テープ上のポーズ前最終記録位置を示すテープポーズ位置基準値を判断するステップと、テープ上のポーズ前最終記録位置の後に消去信号を記録するステップと、テープを巻き戻すステップと、テープを順方向に移送し、現テープ位置値を取得するステップと、現テープ位置値がいつテープポーズ位置基準値に対する所定の値に達するかを判断するステップと、スキャナの次の回転の開始時において、テープへの１つ以上のポーズ後ストライプの記録を開始するステップとを実行する。一構成例において、テープポーズ位置基準値に対する所定の値は、テープポーズ位置基準値とオフセットとの和である。
【発明を実施するための最良の形態】
【００１５】
以上のおよびその他の本発明の目的、特徴、および利点は、以下に示す、添付の図面に示した好適な実施形態のより詳細な説明から明らかである。図面において、様々な図を通じて参照符号を同じ部材に付している。図面は必ずしも縮尺通りではなく、むしろ本発明の原理を示すために強調を施している。
【００１６】
以下の記載において、本発明の完全な理解を提供するために、限定目的ではなく説明目的で、特定のアーキテクチャ、インターフェース、および技術などの具体的な詳細を述べる。しかし、本発明は、これらの特定の詳細から離れた他の実施形態においても実施され得ることが、当業者には明らかである。他の場合において、本発明の説明を不要な詳細で不明確にしてしまわないために、周知の装置、回路、および方法の詳細な説明は省略している。
【００１７】
図１は、ホストコンピュータまたはユーザデバイス２２と、記憶装置の代表的な実施形態例（特にテープドライブ３０）とを接続する、バス２０を示している。図１および図２の両方の図示した実施形態において、テープドライブ３０は、テープ３１上へ／からの情報を変換する一般的なヘリカルスキャンテープドライブとして示されている。テープドライブ３０は、バス２０に接続されたコントローラ３２を有する（図１参照）。データバス３４は、コントローラ３２をバッファマネージャ３６に接続する。コントローラ３２およびバッファマネージャの両方が、バスシステム４０によってプロセッサ５０に接続されている。特に図示していないが、プロセッサ５０はまたプログラムメモリやデータメモリ（例えばＲＡＭ）にも接続され得ることが理解される。
【００１８】
バッファマネージャ３６は、例えば、ユーザデータのバッファメモリ５６への格納およびユーザデータのバッファメモリ５６からの取り出しの両方を制御する。ユーザデータは、ホスト２２からの、テープ３１に記録されるためのデータ、または、テープ３１からホスト２２に向けられたデータである。バッファマネージャ３６はまた、フォーマッタ／エンコーダ６０ならびにデフォーマッタ／デコーダ６２Ａおよび６２Ｂに接続されている。またフォーマッタ／エンコーダ６０自体はそれぞれ書き込みチャネル７０に接続されている。デフォーマッタ／デコーダ６２Ａおよび６２Ｂ自体は、それぞれ読み出しチャネル７２Ａおよび７２Ｂに接続されている。書き込みチャネル７０は、書き込み増幅器を介して（複数の）記録素子または書き込みヘッド８０に接続され、読み出しチャネル７２Ａおよび７２Ｂは、読み出し増幅器を介して複数の読み出し素子または読み出しヘッド８２に接続されている。
【００１９】
書き込みチャネル７０は、ＲＬＬ変調器、パラレル−シリアル変換器、および書き込み電流変調器を含む様々な回路および素子を有することが当業者には理解される。同様に、読み出しチャネル７２Ａおよび７２Ｂは、データパターンおよびクロック再生回路、シリアル−パラレル変換器、ならびにＲＬＬ復調器を有することが当業者には理解される。（例えば）エラー訂正を含む、テープドライブ３０のこれらおよびその他の局面は、本技術の理解のために不要であり、したがってここでは具体的には説明しない。特定の他の局面は、例えばＭｃＡｕｌｉｆｆｅらの米国特許第６，３６７，０４７号、ＭｃＡｕｌｉｆｆｅらの米国特許第６，３６７，０４８号、ＭｃＡｕｌｉｆｆｅらの米国特許第６，６０３，６１８号、およびＺａｃｚｅｋの米国特許第６，３８１，７０６号、ＭｃＡｕｌｉｆｆｅらの米国特許第６，４２１，８０５号、Ｂｌａｔｃｈｌｅｙらの米国特許第６，３０８，２９８号、Ｂｅａｖｅｒｓらの米国特許第６，３０７，７０１号、およびＢｌａｔｃｈｌｅｙらの米国特許第６，２４６，５５１号、ならびに「DATA RANDOMIZATION FOR REWRITING IN RECORDING/REPRODUCTION APPARATUS」の名称を有する２００５年３月９日付け出願の米国特許出願第１１／０７４，９３７号から理解することができる。これらのすべてについて、その全体を本願において参考のため援用する。
【００２０】
任意の数および配置の書き込みヘッド８０および読み出しヘッド８２を有するテープドライブが、本願に記載するテープポーズ技術に使用され得る。例示のための例としての特定のドライブ３０（図２に概略を示す）は、回転するスキャナまたはドラム８４の円周面上に配置された、２つの書き込みヘッド８０1〜８０2および４つの読み出しヘッド８２1,A、８２1,B、８２2,A、８２2,Bを有する。書き込みヘッド８０1〜８０2は、回転するスキャナ８４上に１８０度離れて位置しており、それぞれ第１および第２のアジマス角を有しており、同じ書き込みチャネル７０を共有する。読み出しヘッド８２は、例えば第１の対８２1,A、８２1,Bおよび第２の対８２2,A、８２2,Bのように、対に構成されている。各読み出しヘッド対は、書き込みヘッド８０から９０度離れて位置している。各対のうち第１の読み出しヘッド、すなわち読み出しヘッド８２1,Aおよび読み出しヘッド８２2,Aは読み出しチャネル７２Ａを用い、一方、各対のうち第２の読み出しヘッド、すなわち読み出しヘッド８２1,Bおよび読み出しヘッド８２2,Bは読み出しチャネル７２Ｂを用いる。第１の対の読み出しヘッド８２1,A、８２1,Bは、同じ第１のアジマス角を有しており、読み出しヘッド８２1,Bは読み出しヘッド８２1,Aの約１トラック後ろを読み出す。第２の対の読み出しヘッド８２2,A、８２2,Bは同じ第２のアジマス角を有しており、読み出しヘッド８２2,Bは読み出しヘッド８２2,Aノ約１トラック後ろを読み出す。図示した構成例において、オーバースキャンモードでデータをテープから再生または読み出しする際、通常すべての読み出しヘッドが使用される。しかし、記録動作においては、各対のうち１つの読み出しヘッドのみが、チェックアフターライト動作に利用される。
【００２１】
テープ３１が図１の矢印８７で示す方向に送りリール９０から巻き取りリール９２へと移送される際に、ヘッド８０および８２がテープ３１上のヘリカルストライプ８６（図１参照）に追従するように、テープ３１はスキャナ８４上に巻き回される。送りリール９０および巻き取りリール９２は典型的には、図示しないカートリッジまたはカセット内に収納され、ここからテープ経路（スキャナ８４への巻き回しを含む）へとテープ３１が引き出される。特定のテープ経路が不可欠なわけではなく、図２は単にテープ経路構成例を提供しているだけである。送りリール９０および巻き取りリール９２は、各リールモータ９４および９６に駆動され、テープ３１を方向８７に移送する。リールモータ９４および９６は、移送コントローラ９８（最終的にはプロセッサ５０によって支配される）によって駆動される。キャプスタン１００がテープ速度を制御する。キャプスタン１００はキャプスタンモータ１０２によって回転される。キャプスタンモータ１０２の回転速度、ひいてはキャプスタン１００の回転速度そしてテープ３１の線速度は、キャプスタンタコメータ１０４により検出される。リールモータ９４および９６ならびにキャプスタンモータ１０２、ひいてはキャプスタン１００自体は、すべて移送コントローラ９８（最終的にはプロセッサ５０によって支配される）によって別々に駆動される。テープ３１の順方向移動において、巻き取りリールモータ９６はキャプスタン１００から巻き取りリール９２へ適切な張力を、テープ３１上に維持する。送りリールモータ９４は、テープ３１に書き込みおよび読み出しを行うために十分な圧力をヘッドおよびスキャナ８４に対して維持するために、テープ３１上に逆方向の張力を提供する。
【００２２】
例示したテープドライブの、プロセッサ５０などのコントローラが、記録ポーズルーチン１２０を行うと言う利点を有する。多くの場合、ポーズルーチン１２０により、実質的にシームレスなポーズ動作が得られる。ポーズルーチン１２０によって実行される特定の例示的、基本的、かつ非限定的なステップまたはそれに関連するイベントを、図３に示す。どのような特定のユニットまたはアーキテクチャがポーズルーチン１２０の実行に用いられるかは、重要でも不可欠でもない。ポーズルーチン１２０は、ここで行われる基本的なステップまたは動作を実行することが可能な、任意の適切な実体によって実行され得ることが理解される。そのような実体（本願において広範にコントローラと呼ぶことがある）は、例えば、個々のハードウェア回路、ソフトウェアまたはファームウェアを実行する適切にプログラミングされたデジタルマイクロプロセッサあるいは汎用コンピュータ、特定用途向け集積回路（ＡＳＩＣ）、および／または１つ以上のデジタルシグナルプロセッサ（ＤＳＰ）であるか、またはこれらを含み得る。また、ポーズルーチン１２０の機能は、１つの実体に集中化するか、いくつかの実体に分散させてもよい。
【００２３】
図３のステップ３−１は、呼び出しを待っているポーズルーチン１２０を示す。ポーズ動作が要求されたかどうかをポーズルーチン１２０に周期的にチェックさせるかまたは通知することにより、ステップ３−１を行うことができる。例えばホストから得られるデータが無くなったなどの上述した条件の下などでポーズ動作が要求され得、ドライブがポーズする。
【００２４】
ステップ３−２として、ポーズが要求された後、最後のポーズ前データトラックをテープ３１に書き込む。これらの最後のポーズ前データトラックは、データバッファ５６の残りの内容からのパケットを有するデータトラックである。すなわち、ドライブは、実際にテープ移送をポーズする前に、好ましくはそのデータバッファ５６の内容を書き込むことによってデータバッファ５６を空にする。
【００２５】
ステップ３−３として、ポーズルーチン１２０は、テープ上のポーズ前最終記録位置を示すテープポーズ位置基準値を形成する。ステップ３−２は、例えば、最後のポーズ前トラックの記録時におけるキャプスタンタコメータ１０４から得られたタコメータカウントを参照することによって行われ得る。このテープポーズ位置基準値は将来のチェックのために格納され、ポーズ後にドライブがどこからテープ３１への記録の再開を開始すべきかを示すものである。
【００２６】
ステップ３−４として、ポーズルーチン１２０は、ポーズ前最終記録位置の後（例えば下流側）において、テープ３１上にＤＣ消去信号を記録させる。好ましくは、ＤＣ消去信号の記録において、読み出しヘッド８２がテープ３１に記録されたばかりの最後のポーズ前トラックのチェックアフターライト処理を行っている間に、ＤＣ消去信号のトラックを記録する。ＤＣ消去信号とは、ヘッドが単一の極として磁化されるように、一定の電流が書き込みヘッド８０に印加される条件である。これはいわば、磁気テープの表面上で磁石を引きずることにより、すべての磁区が１方向に揃うようにさせることと同じ条件を創出する。これは、以前に記録された情報を、ＤＣ消去信号によって書き込まれたトラックの下に効果的に消し去る。典型的なデータ記録信号は、ＡＣ波形状である。
【００２７】
２つの書き込みヘッド８０1および８０2を有する実施形態例のテープドライブ３０において、読み出しヘッドが最後の２つのデータトラックのチェックを完了する間に、ＤＣ消去信号の４つのトラックが記録される。もちろん、異なる数のヘッドを有する他の実施形態においては、ＤＣ消去信号のより多数あるいはより少数のないトラックが記録されてもよい。
【００２８】
ステップ３−５として、最後に記録されたポーズ前データトラックよりも早いテープ位置まで、テープ３１を短い距離だけ逆方向に移動させる（例えば巻き戻す）。図示した構成において、テープ３１のそのような短い逆方向移動は、移送コントローラ９８の制御下において、ポーズルーチン１２０のロジックに応答して達成される。具体的には、移送コントローラ９８がキャプスタンモータ１０２ひいてはキャプスタン１００を動作させることにより、テープ方向が反転されて、最後に記録されたポーズ前トラックのすぐ直前の地点までテープが短い距離戻って移動される。例えば、この短い移動は、キャプスタン１００を逆方向に短い距離走らせるための「キル（ｋｉｌｌ）」パルスを印加することに匹敵する。そのような短い逆方向移動は「バックトゥイッチ（ｂａｃｋ  ｔｗｉｔｃｈ）」と呼ばれ、バックヒッチよりもずっと短い。
【００２９】
ステップ３−６は、テープドライブがさらなるデータをテープ３１に記録する準備ができるまで、ポーズルーチン１２０が待っている状態を反映している。例えば、データバッファ５６が所定のレベルまで埋められたとき、バッファマネージャ３６は、テープ３１へのデータの記録を再開することが可能である旨の通知を例えばポーズルーチン１２０に送る。
【００３０】
システムが実際に記録を再開する準備ができたとき、ステップ３−７として、ポーズルーチン１２０は、テープ３１移送を順方向に開始するように移送コントローラ９８に指示する。移送コントローラ９８は、キャプスタン１００を回転させるための適切な信号をキャプスタンモータ１０２に送ることにより、テープ移送を達成する。ステップ３−７においてテープが順方向に移送される際、ポーズルーチン１２０は、キャプスタンタコメータ１０４から得られる現テープ位置値を連続的または周期的に監視する。
【００３１】
動作に際しては、書き込みヘッドが最後に記録されたポーズ前トラックの位置に達する時刻よりも前にキャプスタン１００が所定の速度に達するように、ステップ３−５の巻き戻しは最後に記録されたポーズ前トラックの位置より適度に上流にされるべきである。
【００３２】
ステップ３−８として、ポーズルーチン１２０は、現テープ位置値（キャプスタンタコメータ１０４を介して監視される）が、いつテープポーズ位置基準値に対して所定の値に達するかを判断する。テープポーズ位置基準値は説明されたようにステップ３−３において格納されたものである。現テープ位置値がそのような所定の値に達すると判断されたとき、ポーズルーチン１２０は、スキャナ８４の次の回転において最初のポーズ後トラックの記録を開始し得ることがわかる。すなわち、所定の値に達した後、スキャナの次の回転の頭において、１つ以上のポーズ後ストライプのテープへの記録を開始し得る。最初のポーズ後トラックの記録は、図３のステップ３−９に反映されている。
【００３３】
このように、ステップ３−８は、いつ現テープ位置値がテープポーズ位置基準値に対して「所定の値」に達するかを判断することを包含する。一動作モードにおいて、所定の値は、テープポーズ位置基準値（例えばステップ３−３において格納される）に等しくてもよい。さらに別の動作モード例においては、テープポーズ位置基準値に対する所定の値は、テープポーズ位置基準値（ステップ３−３で取得および格納された）とオフセット値との和である。本技術の一局面として、このオフセット値はプログラマブルであってもよく、例えば選択的に変更可能または調節可能であってもよい。このモードにおけるオフセット値の理由は後述する。
【００３４】
図３のステップ３−１０は、ポーズルーチン１２０を抜け出してドライブ３０がポーズ後トラックの記録を通常に継続し得ることを反映している。
【００３５】
図４は、ポーズルーチン１２０によって行われるポーズ動作を経たテープの内容例を示す。図４において、テープを、書き込みヘッドから記録面を見たように図示している。図５のテープとは異なり、図４のテープは、同じアジマス角の隣接するトラック（ポーズ前１つとポーズ後１つ）と言う問題状況を有していない。むしろ、図４に示す特定の例において、ポーズ前トラックは、１．５トラックの消去信号ギャップによってポーズ後トラックから隔てられている。図４は、単に一つの可能な場合を示しているのであり、最初のポーズ後トラックを書き込んでよいと検出されるドラム回転上の地点に依存して、他の場合が存在する。実質的には２つの極端な場合が存在し、他の場合はその間にほぼ連続的に存在することになる。
【００３６】
第１の極端な場合において（最小ギャップ）、ステップ３−３でテープが戻されることにより、テープ移送のスタートとともにトラックの横断が開始したときに（ステップ３−７）、第１のアジマス角のヘッド（例えば＋アジマス角）が、既に記録された＋アジマス角のトラック上に実質的に重なる経路を横断するようにする。この第１の場合において、記録される最初のポーズ後トラックは、最後のポーズ前トラックの実質的に直後に書き込まれるため、実質的にテープ上にギャップを有さないポーズが得られる。
【００３７】
第２の極端な場合において（最大ギャップの場合）、ステップ３−８の要件が満足されたとき、ヘッドはちょうどトラック横断を開始し逃したところなので、ポーズルーチン１２０は、最初のポーズ後トラックを書き込む前に、１回転まるまる待たなければならない。ドラムの１回転は、２つのトラックの書き込みを意味する。この場合、ポーズルーチン１２０は、ほぼ２つのトラック分のギャップを有する。したがって、得られるギャップは、実質的に、最初のポーズ後トラックを書き込んでよいと検出されるドラム回転上の地点の関数である。
【００３８】
キャプスタンタコメータ１０４は、新しいトラック（例えばポーズ後トラック）の開始を、トラック幅の一部分内に制御するのに十分な分解能を有する。キャプスタンタコメータ位置（ステップ３−３で得られる）を基準として用いることにより、ポーズ後に新しいトラックの書き込みを始めるための単純な方法が可能になる。
【００３９】
ドラム回転位置の把握は、大部分のテープドライブの大部分のスキャナに付随する、図示しない位置センサによって達成される。同様に、大部分のテープドライブは、ヘッドがいつテープ上にあり、トラックを横断および変換（記録または再生する）し始める位置にあるかを示す信号を提供する。前述したヘリカルスキャン例のうちのいくつかなどの、いくつかのテープドライブにおいて、そのような信号は、ＨＥＡＤ  ＳＹＮＣ信号として知られる。他のバリエーションもまた可能である。
【００４０】
ポーズ後に再び書き込みを開始する信号は、必ず次のドラム回転の開始時に効力を生じる。各ドラム回転は２つのトラックを書き込むため、本構成例において、平均して、ポーズ前とポーズ後データとの間に１トラックぶんの追加的なセパレーションが得られる。テープ速度およびドラムタイミングがサーボ制御される他の実施形態においては、この距離はさらに減少され得る。
【００４１】
いくつかの実施形態あるいは動作モードにおいて、特にテープ速度とドラム（スキャナ）速度とが独立に制御される場合、キャプスタンタコメータ１０４とヘッドタイミングとの間は同期していなくてもよい。キャプスタン１００とヘッドタイミングとが同期されない実施形態において、回避あるいは対処すべき別の状況が存在する。すなわち、２つのイベントが実質的に同時に起こると、最後のポーズ前トラックの記録が偶発的に上書きされてしまい得る。これら２つのイベントとは、（１）キャプスタンタコメータ位置（ステップ３−７で監視される）がセーブされた位置（ステップ３−３で得られる）と合致する（ステップ３−８で判断される）ことと、（２）ヘッドタイミングの書き込みゲートがアクティブになることである。これらの２つのイベントが実質的に同時に起こると、ただちにトラックの書き込みが起こる。この書き込み動作を素早く開始すると、ポーズ前データトラック幅を許容可能な限界未満に小さく減少させるほど、ポーズ前データの最後のトラックを上書きしてしまい得る。上述のプログラマブルなオフセットを有することにより、この地点の調整がポーズ前データから遠ざかる側に誤るようにし、最後のポーズ前データトラックを短くし過ぎることを可能にする。
【００４２】
本ポーズルーチン１２０は、以前に記録されたデータのギャップを創出する可能性が高い。しかし、ポーズの終わりにＤＣ消去を用いることにより、露出した部分が消去されたように見える。これにより、その小さいギャップに以前に記録されたものと新しく記録されたデータとによる同アジマスのデータの効果を防ぐ。
【００４３】
本願に記載したポーズ技術は、説明および図示した構成例とは異なる個数のヘッドを有するテープドライブによって実行され得る。実際、本ポーズ技術は、１つの書き込みヘッドのみを有するシステムを含む、任意の数のヘッドを有するシステム上において使用可能である。１ヘッドの場合は、１アジマスで記録し、したがって同アジマストラックの読み出しを避けるためのセパレーションを可能にしなければならないなど、他の問題も考慮する必要があり得る。そのような実施形態においてポーズルーチン技術を実現するための改変の本質および、そのような改変を達成するために必要な手段は、当業者に認識される。
【００４４】
様々な実施形態を開示し詳細に説明したが、請求項はいかなる特定の実施形態や例にも限定されない。上記説明のいずれも、特定の素子、ステップ、範囲、または機能が必須であって請求の範囲に含まれなければならないことを意図していると読まれるべきではない。特許化された主題の範囲は、請求項によってのみ定義される。法的保護の範囲は、許可された請求項に記載された文言およびその均等物によって定義される。本発明は開示された実施形態に限定されず、むしろ、様々な改変および均等的構成をカバーするよう意図されていることが、理解されるべきである。
【図面の簡単な説明】
【００４５】
【図１】テープドライブの実施形態例の模式図である。
【図２】図１のテープドライブ例などのテープドライブにおけるテープ経路例の概略図である。
【図３】本技術のあるモード例にしたがって行われるポーズルーチンに含まれる、基本的な、例示かつ非限定的なステップを示すフローチャートである。
【図４】図３のポーズルーチンを実現する際のテープフォーマットおよび内容を示す概略図である。
【図５】図３のポーズルーチンを用いない場合の、テープフォーマットおよび内容の問題状況を示す概略図である。
【図１】
2008533636.tif 000002
【図２】
2008533636.tif 000003
【図３】
2008533636.tif 000004
【図４】
2008533636.tif 000005
【図５】
2008533636.tif 000006
【国際調査報告】
2008533636.tif 000007